(57)【要約】      （修正有）【課題】ユーザが乗り物に携帯デバイスを忘れたことを検知可能な忘れ物検知システム、携帯デバイス、忘れ物検知プログラム及び忘れ物検知方法を提供する。【解決手段】忘れ物検知システム１は、乗り物における携帯デバイスの忘れ物を検知する忘れ物検知システムであって、携帯デバイスが乗り物内にあることを検知する乗車検知部１０１と、携帯デバイスがある乗り物を推定する移動手段特定部１０２と、携帯デバイスの位置情報に基づいて、推定された乗り物の経路上を第１の方向から当該第１の方向とは反対方向に携帯デバイスが移動したことを検出することによって忘れ物であると判定する忘れ物検知部１０３とを備えている。【選択図】図１
2019175175.tif 000002
【特許請求の範囲】
【請求項１】
乗り物における携帯デバイスの忘れ物を検知する忘れ物検知システムであって、
前記携帯デバイスが前記乗り物内にあることを検知する乗車検知部と、
前記携帯デバイスがある前記乗り物を推定する移動手段特定部と、
前記携帯デバイスの位置情報に基づいて、推定された前記乗り物の経路上を第１の方向から当該第１の方向とは反対方向に前記携帯デバイスが移動したことを検出することによって前記携帯デバイスが忘れ物であると判定する忘れ物検知部とを備えた忘れ物検知システム。
【請求項２】
前記忘れ物検知部が前記乗り物内の忘れ物を検知した場合に所定通知先に対して前記忘れ物の検知を通知する忘れ物通知部をさらに備えたことを特徴とする請求項１記載の忘れ物検知システム。
【請求項３】
前記携帯デバイスは、前記携帯デバイスの位置情報を取得する位置情報取得部を備え、
前記忘れ物検知部は、前記位置情報取得部によって取得された前記位置情報に基づいて、前記携帯デバイスの移動方向を認識し、前記携帯デバイスが忘れ物かどうかを判定する請求項１又は２記載の忘れ物検知システム。
【請求項４】
前記移動手段特定部によって前記乗り物が推定され、当該乗り物が終着点に到着する時刻情報が判明した場合に、前記乗車検知部において前記携帯デバイスが前記乗り物内にあることを検知した後、当該終着点への到着時刻の所定時間前までの期間、前記乗車検知部の処理を抑制することを特徴とする請求項１乃至３いずれかに記載の忘れ物検知システム。
【請求項５】
前記乗車検知部は、前記携帯デバイスの位置情報を取得する位置情報取得部と、前記乗り物の経路に関する位置情報を記憶する経路情報記憶部とを備え、
当該位置情報取得部によって取得された前記携帯デバイスの位置情報により特定された前記携帯デバイスの位置が、前記経路情報記憶部に記憶された前記乗り物の経路に関する位置情報により特定される前記乗り物の経路上にあるかどうかに基づいて、前記携帯デバイスが前記乗り物内にあるかどうかを判定する請求項１又は２記載の忘れ物検知システム。
【請求項６】
前記乗車検知部は、前記携帯デバイスの加速度情報を取得する加速度センサをさらに備え、さらに当該携帯デバイスの加速度情報に基づいて、前記携帯デバイスが前記乗り物内にあるかどうかを判定する請求項５記載の忘れ物検知システム。
【請求項７】
乗り物における携帯デバイスの忘れ物を検知するための前記携帯デバイスであって、
前記携帯デバイスが前記乗り物内にあることを検知する乗車検知部と、
前記携帯デバイスがある前記乗り物を推定する移動手段特定部と、
前記携帯デバイスの位置情報に基づいて、推定された前記乗り物の経路上を第１の方向から当該第１の方向とは反対方向に前記携帯デバイスが移動したことを検出することによって前記携帯デバイスが忘れ物であると判定する忘れ物検知部とを備えた携帯デバイス。
【請求項８】
前記忘れ物検知部が前記乗り物内の忘れ物を検知した場合に所定通知先に対して前記忘れ物の検知を通知する忘れ物通知部をさらに備えたことを特徴とする請求項７記載の携帯デバイス。
【請求項９】
乗り物における携帯デバイスの忘れ物を検知する忘れ物検知プログラムであって、
前記携帯デバイスの位置情報に基づいて、当該携帯デバイスの載置が推定される前記乗り物の経路上を第１の方向から当該第１の方向とは反対方向に前記携帯デバイスが移動したことを検出することによって前記携帯デバイスが忘れ物であると判定する処理をコンピュータに実行させる、忘れ物検知プログラム。
【請求項１０】
乗り物における携帯デバイスの忘れ物を検知する忘れ物検知方法であって、
前記携帯デバイスの位置情報に基づいて、当該携帯デバイスの載置が推定される前記乗り物の進行方向を求め、
前記進行方向に基づいて、前記携帯デバイスが、前記乗り物の経路上の第１の方向から当該第１の方向とは反対方向に移動したことを検出した場合に、前記携帯デバイスが忘れ物であると判定する、忘れ物検知方法。
【発明の詳細な説明】
【技術分野】
【０００１】
本発明は、忘れ物検知システム、携帯デバイス、忘れ物検知プログラム及び忘れ物検知方法に関する。
【背景技術】
【０００２】
携帯電話やスマートフォン等の携帯デバイスは携行性に優れているが、その一方で乗り物に乗車した際に乗り物内に置き忘れてしまうことも起こる。例えば、鉄道車両に携帯デバイスを忘れた場合には、乗務員による車内点検等によって発見されるまで回収されなかった。
携帯デバイスのユーザは、携帯デバイスを鉄道車両に置き忘れたこと自体に長時間気づかないこともある。また、ユーザが降車後に鉄道車両内に忘れたことに気付き、鉄道管理会社に対して問合せたとしても、乗務員による車内点検等によって発見されるまでは鉄道管理会社は忘れ物の存在を認識できず、問合せに対して回答することは難しい。
【０００３】
ここで、特許文献１には、ＧＰＳ（Global Positioning System）機能によって取得した位置情報に基づいてユーザが乗車した電車の路線の特定を行うことが開示されている。また、特許文献１には、加速度センサにより検出される加速度に基づきユーザが乗車したか否かを検知することが開示されている。そして、特許文献１に開示された情報処理装置は、目的地に近づいたことを知らせる処理を実行している。
【先行技術文献】
【特許文献】
【０００４】
【特許文献１】特開２０１４−１８８３１８号公報
【発明の概要】
【発明が解決しようとする課題】
【０００５】
特許文献１に記載された関連技術によれば、ユーザが乗車したかどうかは検知することができるものの、ユーザが乗り物に携帯デバイスを忘れてしまったかどうかについては、全く検知できない。
【０００６】
本発明は、上述の問題を解決するためになされたものであり、ユーザが乗り物に携帯デバイスを忘れたことを検知可能な忘れ物検知システム、携帯デバイス、忘れ物検知プログラム及び忘れ物検知方法を提供することを目的とする。
【課題を解決するための手段】
【０００７】
本発明の一態様にかかる忘れ物検知システムは、乗り物における携帯デバイスの忘れ物を検知する忘れ物検知システムであって、携帯デバイスが前記乗り物内にあることを検知する乗車検知部と、前記携帯デバイスがある乗り物を推定する移動手段特定部と、前記携帯デバイスの位置情報に基づいて、推定された乗り物の経路上を第１の方向から当該第１の方向とは反対方向に前記携帯デバイスが移動したことを検出することによって忘れ物であると判定する忘れ物検知部とを備えたものである。
【０００８】
また、本発明の一態様にかかる携帯デバイスは、乗り物における携帯デバイスの忘れ物を検知するための携帯デバイスであって、携帯デバイスが前記乗り物内にあることを検知する乗車検知部と、前記携帯デバイスがある乗り物を推定する移動手段特定部と、前記携帯デバイスの位置情報に基づいて、推定された乗り物の経路上を第１の方向から当該第１の方向とは反対方向に前記携帯デバイスが移動したことを検出することによって忘れ物であると判定する忘れ物検知部とを備えたものである。
【０００９】
さらに、本発明の一態様にかかる忘れ物検知プログラムは、乗り物における携帯デバイスの忘れ物を検知する忘れ物検知プログラムであって、前記携帯デバイスの位置情報に基づいて、当該携帯デバイスの載置が推定される乗り物の経路上を第１の方向から当該第１の方向とは反対方向に前記携帯デバイスが移動したことを検出することによって忘れ物であると判定する処理をコンピュータに実行させるものである。
【００１０】
また、本発明の一態様にかかる忘れ物検知方法は、乗り物における携帯デバイスの忘れ物を検知する忘れ物検知方法であって、前記携帯デバイスの位置情報に基づいて、当該携帯デバイスの載置が推定される乗り物の進行方向を求めるステップと、前記進行方向が、乗り物の経路上を第１の方向から当該第１の方向とは反対方向に前記携帯デバイスが移動したことを検出した場合に、忘れ物であると判定するものである。
【発明の効果】
【００１１】
本発明によれば、ユーザが乗り物に携帯デバイスを忘れたことを検知可能な忘れ物検知システム、携帯デバイス、忘れ物検知プログラム及び忘れ物検知方法を提供することができる。
【図面の簡単な説明】
【００１２】
【図１】実施の形態１にかかる忘れ物検知システムの全体構成を示すブロック図である。
【図２】実施の形態２にかかる忘れ物検知システムの全体構成を示すブロック図である。
【図３】実施の形態２にかかる忘れ物検知システムの課題解決原理を説明するための図である。
【図４】実施の形態２にかかる忘れ物検知システムの処理の流れを示すフローチャートである。
【図５】実施の形態３にかかる忘れ物検知システムの全体構成を示すブロック図である。
【図６】実施の形態４にかかる忘れ物検知システムの全体構成を示すブロック図である。
【図７】実施の形態５にかかる忘れ物検知システムの全体構成を示すブロック図である。
【図８】実施の形態６にかかる忘れ物検知システムの全体構成を示すブロック図である。
【図９】実施の形態にかかる携帯デバイスのハードウェア構成図である。
【図１０】実施の形態にかかるサーバのハードウェア構成図である。
【発明を実施するための形態】
【００１３】
発明の実施の形態１．
発明の実施の形態１にかかる忘れ物検知システムについて、図を用いて説明する。当該忘れ物検知システムは、終着地点において折り返して同じ経路を逆方向に進行する乗り物における忘れ物を検知するものである。例えば、所定経路上を往復する乗り物である。ここで、対象となる乗り物は、典型的には、電車（列車）であるが、これに限らず、バス、船、飛行機であってもよい。
【００１４】
図１は、当該忘れ物検知システムの全体構成を示すブロック図である。図に示されるように、忘れ物検知システム１は、乗車検知部１０１、移動手段特定部１０２及び忘れ物検知部１０３を備えている。
【００１５】
乗車検知部１０１は、携帯デバイスが乗り物内にあることを検知する。移動手段特定部１０２は、携帯デバイスがある乗り物を推定する。忘れ物検知部１０３は、携帯デバイスの位置情報に基づいて、推定された乗り物の経路上を第１の方向（例えば往路の進行方向）から当該第１の方向とは反対方向（例えば復路の進行方向）に携帯デバイスが移動したことを検出する。忘れ物検知部１０３は、携帯デバイスの移動方向が当該反対方向になったことを認識することによって携帯デバイスが忘れ物であると判定する。
【００１６】
本実施の形態にかかる忘れ物検知システムによれば、携帯デバイスが乗り物に忘れられ、載置されたままの状態であることを検知することができる。一定区間を往復する乗り物に乗車したユーザは、寝過ごしてしまったような場合を除き、通常は、一方方向にしか移動しない。その一方で、当該乗り物は、終着点に到着した場合であっても、通常はその後逆方向に移動する。従って、携帯デバイスが乗り物の経路上を第１の方向からその反対方向に移動したということは、当該携帯デバイスは、ユーザの手から離れて、乗り物のどこかに忘れられている、いわば忘れ物の状態にある可能性が高い。本実施の形態では、このような観点から、乗り物の経路上を第１の方向から反対方向に携帯デバイスが移動したことを検出することによって、忘れ物の状態にあることを検出するようにしたのである。
【００１７】
発明の実施の形態２．
発明の実施の形態２にかかる忘れ物検知システムについて、図を用いて説明する。
図２に示されるように、当該忘れ物検知システム１は、携帯デバイス１０と、サーバ２０とを備えている。携帯デバイス１０とサーバ２０とは、通信網３０によって通信可能に接続されている。通信網３０は、無線通信網やインタネット通信網を含む。
【００１８】
携帯デバイス１０は、例えば、スマートフォン端末、携帯電話、ＩｏＴ（Internet of Things）端末やウェアラブル端末がある。ウェアラブル端末としては、リストバンド型のスマートウォッチや眼鏡型、クリップ型等、様々な端末がある。
【００１９】
携帯デバイス１０は、乗車検知部１１を備えている。乗車検知部１１は、ユーザが乗り物に乗車し、携帯デバイス１０が乗り物内にあることを検知する。この機能を実現するために、乗車検知部１１は、ＧＰＳ１１１と、乗り物の経路に関する位置情報データベース（ＤＢ）１１２と、モーションセンサ１１３を備えている。
携帯デバイス１０は、乗り物における携帯デバイス１０の忘れ物を検知する忘れ物検知方法を実行する。具体的には、携帯デバイス１０は、携帯デバイス１０の位置情報に基づいて、携帯デバイス１０の載置が推定される乗り物の進行方向を求める。次に、携帯デバイス１０は、求めた進行方向に基づいて、携帯デバイス１０が、当該乗り物の経路上の第１の方向から当該第１の方向とは反対方向に移動したことを検出した場合に、携帯デバイス１０が忘れ物であると判定する。
携帯デバイス１０は、乗り物における携帯デバイス１０の忘れ物を検知する忘れ物検知プログラムを実行する。具体的には、携帯デバイス１０は、携帯デバイス１０の位置情報に基づいて、携帯デバイス１０の載置が推定される乗り物の経路上を第１の方向から当該第１の方向とは反対方向に携帯デバイス１０が移動したことを検出することによって携帯デバイス１０が忘れ物であると判定する処理をコンピュータに実行させる。
【００２０】
ＧＰＳ１１１は、携帯デバイス１０の現在位置を取得する位置情報取得部として機能する。また、位置情報ＤＢ１１２は、メモリ等の記憶手段に乗り物の経路に関する位置情報と、乗り物の識別情報とを互いに関連付けた経路位置情報を格納する経路情報記憶部として機能する。この経路位置情報は、必要時にサーバ等の外部からダウンロードすることによって取得してもよい。
【００２１】
ＧＰＳ１１１によって、携帯デバイス１０の現在位置情報を取得し、取得した時刻情報とともに携帯デバイス１０のメモリ等の記憶部に格納する。携帯デバイス１０が乗り物内にある場合には、携帯デバイス１０の位置情報は、乗り物の位置を示す。本発明の実施形態の対象となる乗り物は、予め定められた経路の一定区間を往復するものである。したがって、乗り物の位置情報が判明すれば、上述の位置情報ＤＢ１１２に記憶された経路位置情報を参照することによって、携帯デバイス１０がどの乗り物の経路上に位置するかがわかる。経路は電車やバスの場合には路線とも呼ばれる。
【００２２】
モーションセンサ１１３は、携帯デバイス１０の加速度を検出することにより、加速度情報を取得する加速度センサとして機能する。携帯デバイス１０が乗り物内にある場合には、当該携帯デバイス１０の加速度は、乗り物の加速度を示す。ここで、乗り物の種類は、加速度情報を得ることができれば判別することが可能である。例えば、駅から出発する電車の走行に関しては、乗客の安全性や乗り心地を考慮して、一般的な自家用車と比べて低い加速度で緩やかに加速していく。従って、携帯デバイス１０の加速度情報によって、携帯デバイス１０が載置されているであろう、乗り物の種類を特定でき、これをもって携帯デバイス１０が乗り物内にあることを確実に判別することができる。
【００２３】
従って、ＧＰＳ１１１によって乗り物のどの経路上に位置するかを推測でき、さらに、モーションセンサ１１３によって携帯デバイス１０がその乗り物にあることをより正確に判断することができる。このようにして、乗車検知部１１は、携帯デバイス１０を携行したユーザが乗り物に乗り、そして携帯デバイス１０が乗り物内にあることを検知する。
【００２４】
乗車検知部１１は、携帯デバイス１０が乗り物内にあることを検知すると、サーバ２０に対して、その旨を示す乗車検知通知を送信する。乗車検知通知には、乗車検知したことを示す情報とともに、乗車した乗り物の経路を識別する経路識別情報と、携帯デバイス１０の位置情報とその取得時刻情報、並びに携帯デバイス１０やユーザを識別するユーザ識別情報が含まれている。
【００２５】
移動手段特定部２１は、ユーザが乗車した乗り物をより詳細に特定する。具体的には、移動手段特定部２１は、乗り物の位置を時刻との関連において定めた時刻表情報を記憶する時刻表情報記憶部を備えている。移動手段特定部２１は、ＧＰＳ１１１によって特定された乗り物の経路に関して、ＧＰＳ１１１が取得した位置情報と時刻情報を用いて当該時刻表情報を参照することにより、どの乗り物に乗っているのかを特定することができる。
【００２６】
つまり、移動手段特定部２１は、単に乗り物の種別だけでなく、特定の始発点（電車の場合は始発駅）を何時に出発し、何時にそれぞれの途中地点（電車の場合は途中駅）を通過して、特定の終着点（電車の場合は終着駅）に到着する乗り物なのかを判別できる。このようにして、移動手段特定部２１は、携帯デバイス１０が載置された（中にある）乗り物が、時刻毎にどの位置に移動するかを予測できる。特に、本実施の形態にかかる移動手段特定部２１は、乗り物が終着点に到着する予定時刻、さらには、その終着点から逆方向に出発する時刻に関する予定情報を時刻表情報から取得できる。
【００２７】
ここで、移動手段特定部２１は、時刻表情報が事故や故障等によって一時的に変更された場合には、その変更情報を乗り物の時刻表管理サーバ（図示せず）から取得して時刻表情報を修正する機能を有することが好ましい。
【００２８】
忘れ物検知部２２は、携帯デバイス１０の位置情報に基づいて、推定された乗り物の経路上を第１の方向から反対方向に携帯デバイス１０が移動したことを検出することによって、携帯デバイス１０は、ユーザに携行されているのではなく、忘れ物であると判定する。乗り物が電車の場合には、携帯デバイス１０が例えば上り方向に向けて移動した後に、下り方向に向けて移動した場合には、携帯デバイス１０は忘れ物であると判定する。
【００２９】
例えば、図３に示すような路線において、Ａ駅を出発した電車がＢ駅で停車した後、Ｃ駅に到着したとする。この往路において、携帯デバイス１０がＢ駅からＣ駅方向に向けて移動したことをＧＰＳ１１１によって取得した複数地点の位置情報から判断することができる。そして、電車が、Ｃ駅において折り返してＢ駅に向かい、Ｂ駅で停車した後にＡ駅に到着したとする。この復路において、携帯デバイス１０がＣ駅からＢ駅方向に向けて移動したことをＧＰＳ１１１によって取得した複数地点の位置情報から判断することができる。
【００３０】
携帯デバイス１０の位置情報は、乗車検知部１１によって携帯デバイス１０のＧＰＳ１１１によって取得され、時刻情報とともにサーバ２０に送信される。ここで、乗車検知部１１は、当該位置情報を、携帯デバイス１０が乗り物内にあることを検知したことをトリガにして、所定時間間隔で、継続的にサーバ２０に送信してもよい。
【００３１】
より好ましくは、乗車検知部１１は、移動手段特定部２１が特定した乗り物が終着点に到着する予定の時刻の所定時間前（例えば、５分前）から、携帯デバイス１０の位置情報の取得を開始して、サーバ２０に送信する。つまり、乗車検知部１１は、携帯デバイス１０が乗り物内にあることを検知した後、当該乗り物の終着点への到着時刻の所定時間前までの期間、処理を抑制してもよい。さらに、乗車検知部１１は、終着点到着予定時刻の所定時間後（例えば、１５分後）に至るまで、携帯デバイス１０の位置情報を継続して取得し、サーバ２０に送信する。ここで、乗車検知部１１は、終着点を折り返して復路へ出発する出発予定時刻が時刻表情報から判明している場合には、その出発予定時刻の所定時間後に至るまで携帯デバイス１０の位置情報を継続して取得し、サーバ２０に送信するようにしてもよい。尚、位置情報を取得すべき時間帯は位置情報を取得し、記憶部に格納する処理のみを実行し、当該時間帯経過した後にまとめて位置情報をサーバ２０に送信するようにしてもよい。
【００３２】
上記では、乗車検知部１１が自発的に当該位置情報を取得し、サーバ２０に送信する場合を示したが、当該位置情報の取得方法はこれに限定されない。例えば、サーバ２０の忘れ物検知部２２が位置情報の取得を要求する要求情報を携帯デバイス１０に対して送信し、これに応じて、携帯デバイス１０が位置情報を取得して、サーバ２０に対して送信するようにしてもよい。
【００３３】
忘れ物検知部２２は、経路の終着点で、携帯デバイス１０が所定時間（例えば、３０分）以上動かないことや、その終着点の施設内（一定範囲内）に留まっていることを、位置情報から検出した場合に、忘れ物であると検知するようにしてもよい。
【００３４】
忘れ物通知部２３は、忘れ物検知部２２が携帯デバイス１０の忘れ物を検知すると、その旨を予め定められた通知先（所定通知先）に通知する処理を実行する。予め定められた通知先としては、例えば、乗り物を管理する管理会社がある。より好ましくは、忘れ物について対応する職務の部門に電子メール等によって通知する。
【００３５】
忘れ物通知部２３は、携帯デバイス１０が載置された乗り物の移動予定情報を、時刻表情報から取得し、処理時点での移動先に対して通知するとよい。例えば、図３に示す経路の場合、Ｃ駅からＢ駅に電車が向かっている最中に、忘れ物が判明した場合には、Ｂ駅やＡ駅に対して通知を行う。より具体的には、Ｂ駅やＡ駅において忘れ物を扱う担当者の携帯する携帯端末に対して通知を行うとよい。さらには、携帯デバイス１０が載置された乗り物の乗務員の携帯する携帯端末や、乗り物自身に搭載された端末に対して通知を行うようにしてもよい。このように、忘れ物について通知することによって、乗務員や担当者は、忘れ物の携帯デバイス１０をより早く回収することができる。
【００３６】
続いて、図４を用いて、本実施の形態にかかる忘れ物検知システムにおける処理の流れについて説明する。
【００３７】
図４に示されるように、所定のトリガによって忘れ物検知処理を開始する（Ｓ１０１）。例えば、ユーザが携帯デバイス１０を操作して当該忘れ物検知処理を実行させるようにしてもよい。また携帯デバイス１０の乗車検知部１１は、外出する可能性が高い時間帯として予めユーザにより登録された時間帯に、自動的に忘れ物検知処理を実行するようにしてもよい。また、携帯デバイス１０に登録されたユーザのスケジュール情報に基づいて、携帯デバイス１０の乗車検知部１１は、乗り物に乗る可能性が高い時間帯に、自動的に忘れ物検知処理を実行するようにしてもよい
【００３８】
乗車検知部１１は、忘れ物検知処理の開始に応じて、ＧＰＳ１１１によって携帯デバイス１０の位置情報を取得する（Ｓ１０２）。ＧＰＳ１１１は、取得した位置情報を、取得時刻を示す時刻情報とともに、メモリ等の記憶手段に格納する。より具体的に乗車検知部１１は、複数回に亘り、所定時間間隔で、携帯デバイス１０の位置情報を取得する。
【００３９】
乗車検知部１１は、さらに、モーションセンサ１１３によって携帯デバイス１０の加速度情報を取得する（Ｓ１０３）。モーションセンサ１１３は、取得した加速度情報を、取得時刻を示す時刻情報とともに、メモリ等の記憶手段に格納する。より具体的に乗車検知部１１は、複数回に亘り、所定時間間隔で、携帯デバイス１０の加速度情報を取得する。
【００４０】
次に、乗車検知部１１は、携帯デバイス１０が乗り物内にあるかどうかを判定する（Ｓ１０４）。具体的には、乗車検知部１１は、ＧＰＳ１１１によって取得した現在位置情報に基づいて、位置情報ＤＢ１１２に格納された経路位置情報を参照して、携帯デバイス１０が経路上にあり、乗り物内に位置することが推測されるかどうかを判定する。
【００４１】
さらに、乗車検知部１１は、モーションセンサ１１３が取得した、携帯デバイス１０の加速度情報に基づいて、本発明の実施の形態が対象とする乗り物内に携帯デバイス１０があるかどうかを判定する。
【００４２】
乗車検知部１１が、携帯デバイス１０の現在位置が経路上にあり、かつ、携帯デバイス１０が所定の乗り物内にあることを検知した場合には、携帯デバイス１０が乗車状態にあると判定し、次の処理に進む。他方、乗車検知部１１が乗車状態にないと判定した場合には、再度、位置情報の取得処理等を実行する。
【００４３】
乗車検知部１１は、携帯デバイス１０が乗り物内にあることを検知すると、位置情報の取得処理及び加速度情報の取得処理を停止する（Ｓ１０５）。このように、後述するこれらの情報の取得処理の開始まで、取得処理を停止することにより、携帯デバイス１０の処理負荷を軽減することができる。
【００４４】
次に、乗車検知部１１は、サーバ２０に対して、その旨を示す乗車検知通知を送信する。乗車検知通知には、乗車検知したことを示す情報とともに、乗車した乗り物の経路を識別する経路識別情報と、携帯デバイス１０の位置情報とその取得時刻情報、及び携帯デバイス１０やユーザを識別するユーザ識別情報が含まれている。
【００４５】
サーバ２０の移動手段特定部２１は、ユーザが乗車した乗り物をより詳細に特定する処理を実行する（Ｓ１０６）。移動手段特定部２１は、ＧＰＳ１１１によって特定された乗り物の経路に関して、ＧＰＳ１１１が取得した位置情報と時刻情報を用いて当該時刻表情報を参照することにより、どの乗り物に乗っているのかを特定する。
【００４６】
忘れ物検知部２２は、移動手段特定部２１が特定した乗り物が終着点に到着する予定の時刻を取得する（Ｓ１０７）。そして、忘れ物検知部２２は、現在時刻が、終着点への到着時刻の所定時間ｔ１前において、乗車状態かどうかを判定する（Ｓ１０８）。例えば、忘れ物検知部２２は、携帯デバイス１０の乗車検知部１１に対して乗車検知処理を要求する。そして、忘れ物検知部２２が、乗車検知部１１から乗車検知の結果を受信して、乗車状態かどうかを判定する。忘れ物検知部２２が乗車状態にないと判定した場合には、忘れ物検知処理を終了する（Ｓ１１３）。
【００４７】
忘れ物検知部２２がその時点で乗車状態にあると判定した場合には、さらに、終着点到着予定時刻の所定時間ｔ２後に至るまで、乗車状態かどうかを判定する（Ｓ１０９）。例えば、忘れ物検知部２２は、携帯デバイス１０の乗車検知部１１に対して乗車検知処理を要求する。そして、忘れ物検知部２２が、乗車検知部１１から乗車検知の結果を受信して、乗車状態かどうかを判定する。忘れ物検知部２２が乗車状態にないと判定した場合には、忘れ物検知処理を終了する（Ｓ１１３）。
【００４８】
忘れ物検知部２２がその時点で乗車状態にあると判定した場合には、携帯デバイス１０が、終点位置に留まっているか又は終点位置に至るまでの進行方向と、逆方向に移動しているかどうかを判定する（Ｓ１１０）。忘れ物検知部２２は、終着点到着予定時刻ｔ１前から終着点到着予定時刻のｔ２後までの時間帯における、携帯デバイス１０の移動履歴（位置情報）に基づいて、進行方向を判断することで、かかる判定を実行する。忘れ物検知部２２が逆方向に移動していないと判定した場合には、忘れ物検知処理を終了する（Ｓ１１３）。
【００４９】
忘れ物検知部２２がその時点で乗車状態にあると判定した場合には、終点位置に留まっているか又は終点位置に至るまでの進行方向と、逆方向に移動していると判定した場合には、携帯デバイス１０は忘れ物に相当すると判定する（Ｓ１１１）。
【００５０】
忘れ物検知部２２が携帯デバイス１０の忘れ物を検知すると、忘れ物通知部２３は、その旨を予め定められた通知先に通知する処理を実行する。
【００５１】
以上説明したように、本実施の形態にかかる忘れ物検知システムでは、携帯デバイスが乗り物に忘れられ、載置されたままの状態であることを検知することができる。特に、本実施の形態では、移動手段の特定処理や忘れ物の検知処理をサーバにおいて実行したため、携帯デバイスの処理負担を軽減することができる。
【００５２】
さらに、乗車検知においては、ＧＰＳのみならず、モーションセンサを用いたため、より正確に乗車検知を行うことができる。特に、乗り物が電車の場合であって、線路と平行して道路が走っているような場合に、有効に電車への乗車検知ができる。
【００５３】
発明の実施の形態３．
図５を用いて、本実施の形態３にかかる忘れ物検知システムの構成について説明する。図に示されるように、携帯デバイス１０は、乗車検知部１１と、移動手段特定部２１を備えている。また、サーバ２０は、忘れ物検知部２２と、忘れ物通知部２３を備えている。これらの乗車検知部１１、移動手段特定部２１、忘れ物検知部２２及び忘れ物通知部２３は、基本的に、発明の実施の形態２にかかる忘れ物検知システムにおいて説明したものと同様の機能を有する。
【００５４】
移動手段特定部２１は、携帯デバイス１０に設けたため、時刻情報記憶部も同様に、携帯デバイス１０に設けている。移動手段特定部２１は、携帯デバイス１０が車内にあると判断される乗り物を特定すると、その情報を通信網３０経由でサーバ２０に対して送信する。
【００５５】
本発明の実施の形態３においても、発明の実施の形態１、２と同様に、携帯デバイスが乗り物に忘れられ、載置されたままの状態であることを検知することができる。
本実施の形態では、特に、移動手段を特定する処理を携帯デバイスで実行するため、サーバの負荷を軽減できる。
【００５６】
発明の実施の形態４．
図６を用いて、本実施の形態３にかかる忘れ物検知システムの構成について説明する。図に示されるように、携帯デバイス１０は、乗車検知部１１と、移動手段特定部２１と、忘れ物検知部２２を備えている。また、サーバ２０は、忘れ物通知部２３を備えている。これらの乗車検知部１１、移動手段特定部２１、忘れ物検知部２２及び忘れ物通知部２３は、基本的に、発明の実施の形態２にかかる忘れ物検知システムにおいて説明したものと同様の機能を有する。
【００５７】
忘れ物検知部２２は、忘れ物を検知すると、その情報を通信網３０経由でサーバ２０に対して送信する。サーバ２０の忘れ物通知部２３は、検知情報を受信して、所定の通知処理を実行する。
【００５８】
本発明の実施の形態４においても、発明の実施の形態１〜３と同様に、携帯デバイスが乗り物に忘れられ、載置されたままの状態であることを検知することができる。
本実施の形態では、特に、移動手段を特定する処理及び忘れ物検知処理を携帯デバイスで実行するため、サーバの負荷を大幅に軽減できる。
【００５９】
発明の実施の形態５．
図７を用いて、本実施の形態５にかかる携帯デバイスの構成について説明する。図に示されるように、携帯デバイス１０は、乗車検知部１１と、ゲート検知部１３を備えている。乗車検知部１１は、発明の実施の形態１で説明したものと同様の機能を有する。
【００６０】
ゲート検知部１３は、乗り物の乗車場に設けられたゲートにおいて、入場又は乗車を検知する。例えば、乗り物が電車の場合には、ゲート検知部１３は、改札に設けられた切符確認装置に備えられている。一般的には、乗車料金を課金するために設けられた課金システム上の読み取り装置である。本実施の形態では、携帯デバイス１０は、切符の機能を備えており、携帯デバイス１０を読み取り装置にかざすことで改札から入場できるとともに、その際、ゲート検知部１３は、当該入場を検知する。そして、ゲート検知部１３は、入場検知に応じて、忘れ物検知処理を開始する（図４のステップＳ１０１）。
【００６１】
ゲート検知部１３は、さらに、改札からの出場を検知すると、忘れ物検知処理を終了する（図４のステップＳ１１３）。
【００６２】
本発明の実施の形態５においても、発明の実施の形態１〜４と同様に、携帯デバイスが乗り物に忘れられ、載置されたままの状態であることを検知することができる。
本実施の形態では、特に、ゲート検知部１３が、乗り場への入場や乗車を検知して、忘れ物検知処理を開始するようにしたので、忘れ物検知処理時間を必要なときのみに限定することができるため、携帯デバイス１０の処理負荷を大きく低減できる。
【００６３】
なお、発明の実施の形態５に示す携帯デバイスは、さらに、移動手段特定部２１を備えてもよく、さらには、忘れ物検知部２２を備えてもよい。
【００６４】
発明の実施の形態６．
図８を用いて、本実施の形態６にかかる携帯デバイスの構成について説明する。図に示されるように、携帯デバイス１０は、乗車検知部１１と、乗り物ＩＤ検知部１４を備えている。乗車検知部１１は、発明の実施の形態１で説明したものと同様の機能を有する。
【００６５】
乗り物ＩＤ検知部１４は、乗り物に搭載された情報出力装置から発信された乗り物の識別情報を検知する。情報出力装置は、例えば、携帯デバイス１０とＷｉＦｉ等の無線通信によって接続される場合のＳＳＩＤ（Service Set Identifier）を乗り物の識別情報として出力する。
【００６６】
乗り物ＩＤ検知部１４が乗り物の識別情報を検知することによって、予め乗り物の識別情報と、乗り物を特定する情報を関連付けておけば、携帯デバイス１０が存在する乗り物を特定することができる。これによって、発明の実施の形態２における移動手段特定部２１の機能も実現できる。
【００６７】
本発明の実施の形態６においても、発明の実施の形態１〜５と同様に、携帯デバイスが乗り物に忘れられ、載置されたままの状態であることを検知することができる。
本実施の形態では、特に、乗り物ＩＤ検知部１４が、乗り物の識別情報を取得したので、乗り物を容易に特定することができる。
【００６８】
なお、発明の実施の形態５に示す携帯デバイスは、さらに、忘れ物検知部２２を備えてもよい。
【００６９】
ハードウェア構成．
図９に、携帯デバイス１０のハードウェア構成例を示す。図に示されるように、携帯デバイス１０は、ある種のコンピュータであって、プロセッサ１Ａ、通信処理インタフェース１Ｂ、メモリ１Ｃ、ＧＰＳ１Ｄ及び周辺装置１Ｅを備えている。これらの各要素は、例えば、バスによって接続されている。プロセッサ１Ａは、メモリ１Ｃに格納されたコンピュータプログラムを読み出して実行することによって、各種の機能部を実現する。プロセッサ１Ａは、例えば、ＣＰＵ（Central Processing Unit）である。
【００７０】
通信処理インタフェース１Ｂは、サーバ２０等と通信を実行するための入出力処理を実行する。通信処理インタフェース１Ｂは、例えば、ベースバンド処理回路や無線処理回路を含む。
【００７１】
メモリ１Ｃは、ＲＡＭ（Random Access Memory）、ＲＯＭ（Read Only Memory）等の記憶手段であり、コンピュータプログラムや各種のデータを格納する。ＧＰＳ１Ｄは、例えばチップにより構成される。周辺装置１Ｅは、モニタ、マイク、スピーカや各種音声処理回路や入力装置等の各種のモジュールである。
【００７２】
図１０に、サーバ２０のハードウェア構成例を示す。図に示されるように、サーバ２０は、ある種のコンピュータであって、プロセッサ２Ａ、通信処理インタフェース２Ｂ、メモリ２Ｃ及び周辺装置２Ｄを備えている。これらの各要素は、例えば、バスによって接続されている。プロセッサ２Ａは、メモリ２Ｃに格納されたコンピュータプログラムを読み出して実行することによって、各種の機能部を実現する。プロセッサ２Ａは、例えば、ＣＰＵである。
【００７３】
通信処理インタフェース２Ｂは、携帯デバイス１０等と通信を実行するための入出力処理を実行する。メモリ２Ｃは、ＲＡＭ、ＲＯＭ等の記憶手段であり、コンピュータプログラムや各種のデータを格納する。周辺装置２Ｄは、モニタ、マイク、スピーカや各種音声処理回路や入力装置等の各種のモジュールである。
【００７４】
その他の実施形態．
なお、本発明は上記実施の形態に限られたものではなく、趣旨を逸脱しない範囲で適宜変更することが可能である。例えば、上述の実施形態では、携帯デバイスの位置情報は、ＧＰＳ機能によって取得する例を挙げたが、これに限らず、携帯デバイスが無線通信状態にある基地局や中継局の識別情報によっても取得できる。さらに、乗り物に搭載された無線通信機から乗り物の現在位置情報を配信する場合には、この現在位置情報も携帯デバイスの位置情報として活用できる。
【００７５】
上記実施の形態では、ＧＰＳ１１１のみならずモーションセンサ１１３を用いて乗車検知を実行したが、ＧＰＳ１１１等の位置情報取得手段のみによって乗車検知を実行するようにしてもよい。特に、準天頂衛星システムを用いたＧＰＳであれば、精度が数センチメートルであるため、より正確にＧＰＳのみで乗車検知できる。
【００７６】
発明の実施の形態４にかかる携帯デバイス１０は、乗車検知部１１と、移動手段特定部２１と、忘れ物検知部２２を備えたが、さらに、忘れ物通知部２３も備えるようにしてもよい。この場合には、サーバを設置する必要性がないため、いわゆるアプリケーションプログラムを携帯デバイス１０にて実行するだけで、忘れ物検知システムを構成することができる。
【００７７】
本発明は、睡眠して乗り過ごしたユーザの検知にも適用できる。この場合には、ユーザが携行する携帯デバイスに対して通知することで、ユーザに乗り過ごしを気づかせることができる。これにより、乗り物の混雑状況を緩和できる。
【００７８】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭを含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７９】
１  忘れ物検知システム
１０  携帯デバイス
１１  乗車検知部
２０  サーバ
２１  移動手段特定部
２２  忘れ物検知部
２３  忘れ物通知部２３
３０  通信網
１０１  乗車検知部
１０２  移動手段特定部
１０３  忘れ物検知部
【図１】
2019175175.tif 000003
【図２】
2019175175.tif 000004
【図３】
2019175175.tif 000005
【図４】
2019175175.tif 000006
【図５】
2019175175.tif 000007
【図６】
2019175175.tif 000008
【図７】
2019175175.tif 000009
【図８】
2019175175.tif 000010
【図９】
2019175175.tif 000011
【図１０】
2019175175.tif 000012